(57)【特許請求の範囲】
【請求項１】
一つのコネクタと、
第１の抵抗値を有する第１の終端抵抗と、
前記第１の抵抗値よりも小さい第２の抵抗値を有する第２の終端抵抗と、
前記コネクタに入力された信号がタイムコード信号及び外部同期信号のいずれであるかを判定する判定手段と
を有し、
前記コネクタに入力された信号がタイムコード信号である場合は、前記第２の終端抵抗を無効にし、
前記コネクタに入力された信号が外部同期信号である場合は、前記第２の終端抵抗を有効にする撮像装置。
【請求項２】
前記コネクタに入力された信号がタイムコード信号である場合は、前記第１の終端抵抗を有効にし、
前記コネクタに入力された信号が外部同期信号である場合は、前記第１の終端抵抗を無効にする請求項１に記載の撮像装置。
【請求項３】
前記コネクタに入力された信号がタイムコード信号である場合に、前記コネクタがタイムコード信号を入力するためのコネクタとして機能することをユーザに知らせるための情報を表示する表示手段をさらに有する請求項１または２に記載の撮像装置。
【請求項４】
前記コネクタに入力された信号が外部同期信号である場合に、前記コネクタが外部同期信号を入力するためのコネクタとして機能することをユーザに知らせるための情報を表示する表示手段をさらに有する請求項１または２に記載の撮像装置。
【請求項５】
前記コネクタに入力されたタイムコード信号は、映像信号用のタイムコードを生成するのに用いられる信号である請求項１から４のいずれか１項に記載の撮像装置。
【請求項６】
前記コネクタに入力された外部同期信号は、前記撮像装置によって生成される映像信号と、他の装置によって生成される映像信号とを同期させるのに用いられる信号である請求項１から５のいずれか１項に記載の撮像装置。
【請求項７】
一つのコネクタと、
第１の抵抗値を有する第１の終端抵抗と、
前記第１の抵抗値よりも小さい第２の抵抗値を有する第２の終端抵抗と、
前記コネクタが入力モードである場合に、前記コネクタに入力された信号がタイムコード信号及び外部同期信号のいずれであるかを判定する判定手段と、
前記コネクタが出力モードである場合に、タイムコード信号を生成するタイムコード信号生成手段と
を有し、
前記コネクタが入力モードである場合であって前記コネクタに入力された信号がタイムコード信号である場合は、前記第２の終端抵抗を無効にし、
前記コネクタが入力モードである場合であって前記コネクタに入力された信号が外部同期信号である場合は、前記第２の終端抵抗を有効にし、
前記コネクタが出力モードである場合は、前記タイムコード信号生成手段で生成されたタイムコード信号が前記コネクタから出力されるように制御する撮像装置。
【請求項８】
前記コネクタが入力モードである場合であって前記コネクタに入力された信号がタイムコード信号である場合は、前記第１の終端抵抗を有効にし、
前記コネクタが入力モードである場合であって前記コネクタに入力された信号が外部同期信号である場合は、前記第１の終端抵抗を無効にする請求項７に記載の撮像装置。
【請求項９】
前記コネクタが入力モードである場合であって前記コネクタに入力された信号がタイムコード信号である場合に、前記コネクタがタイムコード信号を入力するためのコネクタとして機能することをユーザに知らせるための情報を表示する表示手段をさらに有する請求項７または８に記載の撮像装置。
【請求項１０】
前記コネクタが入力モードである場合であって前記コネクタに入力された信号が外部同期信号である場合に、前記コネクタが外部同期信号を入力するためのコネクタとして機能することをユーザに知らせるための情報を表示する表示手段をさらに有する請求項７または８に記載の撮像装置。
【請求項１１】
前記コネクタが出力モードである場合である場合に、前記コネクタがタイムコード信号を出力するためのコネクタとして機能することをユーザに知らせるための情報を表示する表示手段をさらに有する請求項７から１０のいずれか１項に記載の撮像装置。
【請求項１２】
前記コネクタに入力されたタイムコード信号は、映像信号用のタイムコードを生成するのに用いられる信号である請求項７から１１のいずれか１項に記載の撮像装置。
【請求項１３】
前記コネクタに入力された外部同期信号は、前記撮像装置によって生成される映像信号と、他の装置によって生成される映像信号とを同期させるのに用いられる信号である請求項７から１２のいずれか１項に記載の撮像装置。
【請求項１４】
一つのコネクタと、
第１の抵抗値を有する第１の終端抵抗と、
前記第１の抵抗値よりも小さい第２の抵抗値を有する第２の終端抵抗と、
前記コネクタに入力された信号がタイムコード信号及び外部同期信号のいずれであるかを判定する判定手段と、
前記コネクタに入力された信号がタイムコード信号である場合は、前記第２の終端抵抗を前記コネクタから切り離し、前記コネクタに入力された信号が外部同期信号である場合は、前記第２の終端抵抗を前記コネクタに接続する接続手段と
を有する撮像装置。
【請求項１５】
一つのコネクタと、
第１の抵抗値を有する第１の終端抵抗と、
前記第１の抵抗値よりも小さい第２の抵抗値を有する第２の終端抵抗と、
前記コネクタに入力された信号がタイムコード信号及び外部同期信号のいずれであるかを判定する判定手段と、
前記コネクタに入力された信号が外部同期信号である場合は、前記第１の終端抵抗を前記コネクタから切り離し、前記コネクタに入力された信号がタイムコード信号である場合は、前記第１の終端抵抗を前記コネクタに接続する接続手段と
を有する撮像装置。
【請求項１６】
一つのコネクタと、
第１の抵抗値を有する第１の終端抵抗と、
前記第１の抵抗値よりも小さい第２の抵抗値を有する第２の終端抵抗と、
前記コネクタに入力された信号がタイムコード信号及び外部同期信号のいずれであるかを判定する判定手段と、
前記コネクタに入力された信号がタイムコード信号である場合は、前記第１の終端抵抗を前記コネクタに接続する第１の接続手段と、
前記コネクタに入力された信号が外部同期信号である場合は、前記第２の終端抵抗を前記コネクタに接続する第２の接続手段と
を有する撮像装置。
【請求項１７】
一つのコネクタと、
第１の抵抗値を有する第１の終端抵抗と、
前記第１の抵抗値よりも小さい第２の抵抗値を有する第２の終端抵抗と、
前記コネクタに入力された信号がタイムコード信号及び外部同期信号のいずれであるかを判定する判定手段と、
前記コネクタに入力された信号がタイムコード信号である場合は、前記第２の終端抵抗を前記コネクタから切り離す第１の切り離し手段と、
前記コネクタに入力された信号が外部同期信号である場合は、前記第１の終端抵抗を前記コネクタから切り離す第２の切り離し手段と
を有する撮像装置。
【請求項１８】
前記コネクタに入力された信号がタイムコード信号である場合に、前記コネクタがタイムコード信号を入力するためのコネクタとして機能することをユーザに知らせるための情報を表示する表示手段をさらに有する請求項１４から１７のいずれか１項に記載の撮像装置。
【請求項１９】
前記コネクタに入力された信号が外部同期信号である場合に、前記コネクタが外部同期信号を入力するためのコネクタとして機能することをユーザに知らせるための情報を表示する表示手段をさらに有する請求項１４から１７のいずれか１項に記載の撮像装置。
【請求項２０】
前記コネクタに入力されたタイムコード信号は、映像信号用のタイムコードを生成するのに用いられる信号である請求項１４から１９のいずれか１項に記載の撮像装置。
【請求項２１】
前記コネクタに入力された外部同期信号は、前記撮像装置によって生成される映像信号と、他の装置によって生成される映像信号とを同期させるのに用いられる信号である請求項１４から２０のいずれか１項に記載の撮像装置。
【請求項２２】
一つのコネクタと、
第１の抵抗値を有する第１の終端抵抗と、
前記第１の抵抗値よりも小さい第２の抵抗値を有する第２の終端抵抗と、
前記コネクタが入力モードである場合に、前記コネクタに入力された信号がタイムコード信号及び外部同期信号のいずれであるかを判定する判定手段と、
前記コネクタが出力モードである場合に、タイムコード信号を生成するタイムコード信号生成手段と、
前記コネクタが入力モードである場合であって前記コネクタに入力された信号がタイムコード信号である場合は、前記第２の終端抵抗を前記コネクタから切り離し、前記コネクタが入力モードである場合であって前記コネクタに入力された信号が外部同期信号である場合は、前記第２の終端抵抗を前記コネクタに接続する接続手段と
を有し、
前記コネクタが出力モードである場合は、前記タイムコード信号生成手段で生成されたタイムコード信号が前記コネクタから出力されるように制御する撮像装置。
【請求項２３】
一つのコネクタと、
第１の抵抗値を有する第１の終端抵抗と、
前記第１の抵抗値よりも小さい第２の抵抗値を有する第２の終端抵抗と、
前記コネクタが入力モードである場合に、前記コネクタに入力された信号がタイムコード信号及び外部同期信号のいずれであるかを判定する判定手段と、
前記コネクタが出力モードである場合に、タイムコード信号を生成するタイムコード信号生成手段と、
前記コネクタが入力モードである場合であって前記コネクタに入力された信号が外部同期信号である場合は、前記第１の終端抵抗を前記コネクタから切り離し、前記コネクタが入力モードである場合であって前記コネクタに入力された信号がタイムコード信号である場合は、前記第１の終端抵抗を前記コネクタに接続する接続手段と
を有し、
前記コネクタが出力モードである場合は、前記タイムコード信号生成手段で生成されたタイムコード信号が前記コネクタから出力されるように制御する撮像装置。
【請求項２４】
一つのコネクタと、
第１の抵抗値を有する第１の終端抵抗と、
前記第１の抵抗値よりも小さい第２の抵抗値を有する第２の終端抵抗と、
前記コネクタが入力モードである場合に、前記コネクタに入力された信号がタイムコード信号及び外部同期信号のいずれであるかを判定する判定手段と、
前記コネクタが出力モードである場合に、タイムコード信号を生成するタイムコード信号生成手段と、
前記コネクタが入力モードである場合であって前記コネクタに入力された信号がタイムコード信号である場合は、前記第１の終端抵抗を前記コネクタに接続する第１の接続手段と、
前記コネクタが入力モードである場合であって前記コネクタに入力された信号が外部同期信号である場合は、前記第２の終端抵抗を前記コネクタに接続する第２の接続手段と
を有し、
前記コネクタが出力モードである場合は、前記タイムコード信号生成手段で生成されたタイムコード信号が前記コネクタから出力されるように制御する撮像装置。
【請求項２５】
一つのコネクタと、
第１の抵抗値を有する第１の終端抵抗と、
前記第１の抵抗値よりも小さい第２の抵抗値を有する第２の終端抵抗と、
前記コネクタが入力モードである場合に、前記コネクタに入力された信号がタイムコード信号及び外部同期信号のいずれであるかを判定する判定手段と、
前記コネクタが出力モードである場合に、タイムコード信号を生成するタイムコード信号生成手段と、
前記コネクタが入力モードである場合であって前記コネクタに入力された信号がタイムコード信号である場合は、前記第２の終端抵抗を前記コネクタから切り離す第１の切り離し手段と、
前記コネクタが入力モードである場合であって前記コネクタに入力された信号が外部同期信号である場合は、前記第１の終端抵抗を前記コネクタから切り離す第２の切り離し手段と
を有し、
前記コネクタが出力モードである場合は、前記タイムコード信号生成手段で生成されたタイムコード信号が前記コネクタから出力されるように制御する撮像装置。
【請求項２６】
前記コネクタが入力モードである場合であって前記コネクタに入力された信号がタイムコード信号である場合に、前記コネクタがタイムコード信号を入力するためのコネクタとして機能することをユーザに知らせるための情報を表示する表示手段をさらに有する請求項２２から２５のいずれか１項に記載の撮像装置。
【請求項２７】
前記コネクタが入力モードである場合であって前記コネクタに入力された信号が外部同期信号である場合に、前記コネクタが外部同期信号を入力するためのコネクタとして機能することをユーザに知らせるための情報を表示する表示手段をさらに有する請求項２２から２５のいずれか１項に記載の撮像装置。
【請求項２８】
前記コネクタが出力モードである場合である場合に、前記コネクタがタイムコード信号を出力するためのコネクタとして機能することをユーザに知らせるための情報を表示する表示手段をさらに有する請求項２２から２７のいずれか１項に記載の撮像装置。
【請求項２９】
前記コネクタに入力されたタイムコード信号は、映像信号用のタイムコードを生成するのに用いられる信号である請求項２２から２８のいずれか１項に記載の撮像装置。
【請求項３０】
前記コネクタに入力された外部同期信号は、前記撮像装置によって生成される映像信号と、他の装置によって生成される映像信号とを同期させるのに用いられる信号である請求項２２から２９のいずれか１項に記載の撮像装置。
【発明の詳細な説明】
【技術分野】
【０００１】
本発明は、タイムコード信号及び外部同期信号（Ｇｅｎｌｏｃｋ信号など）の入力が可能なコネクタを有する撮像装置に関する。
【背景技術】
【０００２】
デジタルビデオカメラなどの撮像装置は、様々な用途に対応するために、複数のコネクタを有している。タイムコード信号の入力が可能な撮像装置は、タイムコード信号のみの入力が可能な入力コネクタを有している。Ｇｅｎｌｏｃｋ（Ｇｅｎｅｒａｔｏｒ  Ｌｏｃｋ）信号などの外部同期信号の入力が可能な撮像装置は、外部同期信号のみの入力が可能な入力コネクタを有している。タイムコード信号の出力が可能な撮像装置は、タイムコード信号のみの出力が可能な出力コネクタを有している。
【０００３】
撮像装置に複数のコネクタを設けることは、小型化及び低コスト化を阻害する要因となる。しかし、コネクタの数を単純に削減するだけでは、様々な用途に対応した撮像装置を提供することができない。
【０００４】
そこで、様々な用途に対応しつつ、コネクタの数を削減する方法が求められている。特許文献１には、複数の入出力インターフェースのコネクタを１つの共用コネクタにすることが記載されている。
【先行技術文献】
【特許文献】
【０００５】
【特許文献１】特開平１０−６９３３９号公報
【発明の概要】
【発明が解決しようとする課題】
【０００６】
一つのコネクタを複数の異なる用途に兼用することができれば、様々な用途に対応しつつ、小型で低コストな撮像装置をユーザに提供することができる。
【０００７】
しかしながら、タイムコード信号の入力と、外部同期信号の入力とを一つのコネクタで可能にした撮像装置はいまだ知られていない。
【０００８】
また、タイムコード信号の入力と、外部同期信号の入力と、タイムコード信号の出力とを一つのコネクタで可能にした撮像装置もいまだ知られていない。
【０００９】
そこで、本発明は、タイムコード信号及び外部同期信号（Ｇｅｎｌｏｃｋ信号など）の入力が可能なコネクタを有する撮像装置を提供することを目的とする。
【課題を解決するための手段】
【００１１】
本発明に係る撮像装置の一つは、一つのコネクタと、第１の抵抗値を有する第１の終端抵抗と、前記第１の抵抗値よりも小さい第２の抵抗値を有する第２の終端抵抗と、前記コネクタに入力された信号がタイムコード信号及び外部同期信号のいずれであるかを判定する判定手段とを有し、前記コネクタに入力された信号がタイムコード信号である場合は、前記第２の終端抵抗を無効にし、前記コネクタに入力された信号が外部同期信号である場合は、前記第２の終端抵抗を有効にする。
本発明に係る撮像装置の一つは、一つのコネクタと、第１の抵抗値を有する第１の終端抵抗と、前記第１の抵抗値よりも小さい第２の抵抗値を有する第２の終端抵抗と、前記コネクタが入力モードである場合に、前記コネクタに入力された信号がタイムコード信号及び外部同期信号のいずれであるかを判定する判定手段と、前記コネクタが出力モードである場合に、タイムコード信号を生成するタイムコード信号生成手段とを有し、前記コネクタが入力モードである場合であって前記コネクタに入力された信号がタイムコード信号である場合は、前記第２の終端抵抗を無効にし、前記コネクタが入力モードである場合であって前記コネクタに入力された信号が外部同期信号である場合は、前記第２の終端抵抗を有効にし、前記コネクタが出力モードである場合は、前記タイムコード信号生成手段で生成されたタイムコード信号が前記コネクタから出力されるように制御する。
本発明に係る撮像装置の一つは、一つのコネクタと、第１の抵抗値を有する第１の終端抵抗と、前記第１の抵抗値よりも小さい第２の抵抗値を有する第２の終端抵抗と、前記コネクタに入力された信号がタイムコード信号及び外部同期信号のいずれであるかを判定する判定手段と、前記コネクタに入力された信号がタイムコード信号である場合は、前記第２の終端抵抗を前記コネクタから切り離し、前記コネクタに入力された信号が外部同期信号である場合は、前記第２の終端抵抗を前記コネクタに接続する接続手段とを有する。
本発明に係る撮像装置の一つは、一つのコネクタと、第１の抵抗値を有する第１の終端抵抗と、前記第１の抵抗値よりも小さい第２の抵抗値を有する第２の終端抵抗と、前記コネクタに入力された信号がタイムコード信号及び外部同期信号のいずれであるかを判定する判定手段と、前記コネクタに入力された信号が外部同期信号である場合は、前記第１の終端抵抗を前記コネクタから切り離し、前記コネクタに入力された信号がタイムコード信号である場合は、前記第１の終端抵抗を前記コネクタに接続する接続手段とを有する。
本発明に係る撮像装置の一つは、一つのコネクタと、第１の抵抗値を有する第１の終端抵抗と、前記第１の抵抗値よりも小さい第２の抵抗値を有する第２の終端抵抗と、前記コネクタに入力された信号がタイムコード信号及び外部同期信号のいずれであるかを判定する判定手段と、前記コネクタに入力された信号がタイムコード信号である場合は、前記第１の終端抵抗を前記コネクタに接続する第１の接続手段と、前記コネクタに入力された信号が外部同期信号である場合は、前記第２の終端抵抗を前記コネクタに接続する第２の接続手段とを有する。
本発明に係る撮像装置の一つは、一つのコネクタと、第１の抵抗値を有する第１の終端抵抗と、前記第１の抵抗値よりも小さい第２の抵抗値を有する第２の終端抵抗と、前記コネクタに入力された信号がタイムコード信号及び外部同期信号のいずれであるかを判定する判定手段と、前記コネクタに入力された信号がタイムコード信号である場合は、前記第２の終端抵抗を前記コネクタから切り離す第１の切り離し手段と、前記コネクタに入力された信号が外部同期信号である場合は、前記第１の終端抵抗を前記コネクタから切り離す第２の切り離し手段とを有する。
【００１２】
本発明に係る撮像装置の一つは、一つのコネクタと、第１の抵抗値を有する第１の終端抵抗と、前記第１の抵抗値よりも小さい第２の抵抗値を有する第２の終端抵抗と、前記コネクタが入力モードである場合に、前記コネクタに入力された信号がタイムコード信号及び外部同期信号のいずれであるかを判定する判定手段と、前記コネクタが出力モードである場合に、タイムコード信号を生成するタイムコード信号生成手段と、前記コネクタが入力モードである場合であって前記コネクタに入力された信号がタイムコード信号である場合は、前記第２の終端抵抗を前記コネクタから切り離し、前記コネクタが入力モードである場合であって前記コネクタに入力された信号が外部同期信号である場合は、前記第２の終端抵抗を前記コネクタに接続する接続手段とを有し、前記コネクタが出力モードである場合は、前記タイムコード信号生成手段で生成されたタイムコード信号が前記コネクタから出力されるように制御する。
本発明に係る撮像装置の一つは、一つのコネクタと、第１の抵抗値を有する第１の終端抵抗と、前記第１の抵抗値よりも小さい第２の抵抗値を有する第２の終端抵抗と、前記コネクタが入力モードである場合に、前記コネクタに入力された信号がタイムコード信号及び外部同期信号のいずれであるかを判定する判定手段と、前記コネクタが出力モードである場合に、タイムコード信号を生成するタイムコード信号生成手段と、前記コネクタが入力モードである場合であって前記コネクタに入力された信号が外部同期信号である場合は、前記第１の終端抵抗を前記コネクタから切り離し、前記コネクタが入力モードである場合であって前記コネクタに入力された信号がタイムコード信号である場合は、前記第１の終端抵抗を前記コネクタに接続する接続手段とを有し、前記コネクタが出力モードである場合は、前記タイムコード信号生成手段で生成されたタイムコード信号が前記コネクタから出力されるように制御する。
本発明に係る撮像装置の一つは、一つのコネクタと、第１の抵抗値を有する第１の終端抵抗と、前記第１の抵抗値よりも小さい第２の抵抗値を有する第２の終端抵抗と、前記コネクタが入力モードである場合に、前記コネクタに入力された信号がタイムコード信号及び外部同期信号のいずれであるかを判定する判定手段と、前記コネクタが出力モードである場合に、タイムコード信号を生成するタイムコード信号生成手段と、前記コネクタが入力モードである場合であって前記コネクタに入力された信号がタイムコード信号である場合は、前記第１の終端抵抗を前記コネクタに接続する第１の接続手段と、前記コネクタが入力モードである場合であって前記コネクタに入力された信号が外部同期信号である場合は、前記第２の終端抵抗を前記コネクタに接続する第２の接続手段とを有し、前記コネクタが出力モードである場合は、前記タイムコード信号生成手段で生成されたタイムコード信号が前記コネクタから出力されるように制御する。
本発明に係る撮像装置の一つは、一つのコネクタと、第１の抵抗値を有する第１の終端抵抗と、前記第１の抵抗値よりも小さい第２の抵抗値を有する第２の終端抵抗と、前記コネクタが入力モードである場合に、前記コネクタに入力された信号がタイムコード信号及び外部同期信号のいずれであるかを判定する判定手段と、前記コネクタが出力モードである場合に、タイムコード信号を生成するタイムコード信号生成手段と、前記コネクタが入力モードである場合であって前記コネクタに入力された信号がタイムコード信号である場合は、前記第２の終端抵抗を前記コネクタから切り離す第１の切り離し手段と、前記コネクタが入力モードである場合であって前記コネクタに入力された信号が外部同期信号である場合は、前記第１の終端抵抗を前記コネクタから切り離す第２の切り離し手段とを有し、前記コネクタが出力モードである場合は、前記タイムコード信号生成手段で生成されたタイムコード信号が前記コネクタから出力されるように制御する。
【発明の効果】
【００１３】
本発明によれば、タイムコード信号及び外部同期信号（Ｇｅｎｌｏｃｋ信号など）の入力が可能なコネクタを有する撮像装置を提供することができる。
【図面の簡単な説明】
【００１５】
【図１】本発明の実施形態１〜３における撮像装置１００の構成要素を説明するためのブロック図である。
【図２】実施形態１における入出力部１１２の構成要素を説明するための図である。
【図３】実施形態１における撮像装置１００で行われる入出力制御処理の流れを説明するためのフローチャートである。
【図４】実施形態１〜３における撮像装置１００で行われるコネクタモード更新処理の流れを説明するためのフローチャートである。
【図５】実施形態２における入出力部１１２の構成要素を説明するための図である。
【図６】実施形態２における撮像装置１００で行われる入出力制御処理の流れを説明するためのフローチャートである。
【図７】実施形態３における入出力部１１２の構成要素を説明するための図である。
【図８】実施形態３における撮像装置１００で行われる入出力制御処理の流れを説明するためのフローチャートである。
【発明を実施するための形態】
【００１６】
以下、図面を参照して本発明の実施形態を説明する。
【００１７】
［実施形態１］
図１は、本発明の実施形態１〜３における撮像装置１００の構成要素を説明するためのブロック図である。
【００１８】
実施形態１〜３では、撮像装置１００がデジタルビデオカメラである場合を説明するが、撮像装置１００はデジタルビデオカメラに限るものではない。撮像装置１００は、デジタルカメラ、携帯電話、携帯端末などのいずれであってもよい。
【００１９】
撮像装置１００は、図１に示すように、カメラ部１０１と、Ａ／Ｄコンバータ１０２と、映像処理部１０３と、記録部１０４と、記録媒体１０５と、再生部１０６と、表示部１０７と、制御部１０８とを有する。撮像装置１００はさらに、図１に示すように、ユーザインターフェース部１０９と、プログラムメモリ１１０と、コネクタ１１１と、入出力部１１２と、メモリ１１３とを有する。
【００２０】
カメラ部１０１は、レンズ部と、レンズ部を介して入力された光学像を取り込む撮像素子とを有する。カメラ部１０１は、撮像素子によって取り込まれた光学像に対する映像信号を生成する。カメラ部１０１で生成された映像信号は、Ａ／Ｄコンバータ１０２に供給される。なお、レンズ部は、撮影風景の範囲を決めるためのズームレンズと、焦点調整を行うためのフォーカスレンズと、映像の輝度を調整するためのアイリス機構とを有している。
【００２１】
Ａ／Ｄコンバータ１０２は、カメラ部１０１で生成された映像信号をデジタル映像信号に変換する。Ａ／Ｄコンバータ１０２で生成されたデジタル映像信号は、映像処理部１０３に供給される。
【００２２】
映像処理部１０３は、Ａ／Ｄコンバータ１０２で生成されたデジタル映像信号から所定のフォーマットの映像データを生成する。色あい、画像サイズなどの調整は、映像処理部１０３で行われる。特殊効果の付与も映像処理部１０３で行われる。映像処理部１０３で生成される映像データは、動画、静止画のいずれであってもよい。映像処理部１０３で生成される映像データは、音声データ付きの映像データであってもよい。映像処理部１０３で生成された映像データは、記録部１０４に供給される。また、映像処理部１０３は、Ａ／Ｄコンバータ１０２で生成されたデジタル映像信号から表示用の映像データを生成する。映像処理部１０３で生成された表示用の映像データは、表示部１０７に供給される。
【００２３】
記録部１０４は、映像処理部１０３で生成された映像データをエンコード（符号化）し、エンコードされた映像データを記録媒体１０５に記録する。記録媒体１０５に記録される映像データの符号化方式は、どのような符号化方式でもよい。したがって、記録部１０４は、さまざまな種類の符号化方式をサポートしている。記録媒体１０５に記録される映像データが静止画であるならば、記録部１０４は、ＪＰＥＧなどの符号化方式を用いることができる。記録媒体１０５に記録される映像データが動画であるならば、記録部１０４は、ＭＰＥＧ２、ＭＰＥＧ４、Ｈ．２６４などの符号化方式を用いることができる。
【００２４】
記録媒体１０５は、半導体メモリ、ハードディスク装置、メモリカードなどの記録媒体である。実施形態１では、記録媒体１０５が撮像装置１００から取り外し可能な記録媒体である場合を説明する。ただし、記録媒体１０５は、取り外し可能な記録媒体でなくてもよい。映像データが静止画の場合はＪＰＥＧを、
再生部１０５は、動画、静止画などの映像データを記録媒体１０５から再生し、再生された映像データをデコード（復号）する。再生部１０５でデコードされた映像データは、表示部１０７に供給される。
【００２５】
表示部１０７は、液晶表示器などの表示器を有する。撮像装置１００の動作モードが動画再生モード及び静止画再生モードのいずれかであるならば、表示部１０７は、再生部１０６でデコードされた映像データを表示器に表示する。撮像装置１００の動作モードが動画撮影モード及び静止画撮影モードのいずれかであるならば、表示部１０７は、映像処理部１０３で生成された表示用の映像データを表示器に表示する。
【００２６】
制御部１０８は、メモリ、ＣＰＵ（Ｃｅｎｔｒａｌ  Ｐｒｏｃｅｓｓｉｎｇ  Ｕｎｉｔ）などを有する。制御部１０８は、プログラムメモリ１１０に格納されている様々なプログラムに従って撮像装置１００を制御する。プログラムメモリ１１０には、撮像装置１００を制御するための様々なプログラムが格納されている。撮像装置１００の動作モードに応じたシステム制御も、制御部１０８が行う。撮像装置１００の動作モードは、例えば、動画の撮影を行う動画撮影モード、静止画の撮影を行う静止画撮影モード、記録媒体１０５に記録されている動画を再生する動画再生モード、記録媒体１０５に記録されている静止画を再生する静止画再生モードを含む。
【００２７】
ユーザインターフェース部１０９は、ユーザからの指示を制御部１０８に入力するためのスイッチなどを有する。ユーザインターフェース部１０９は、少なくとも、電源スイッチと、シャッタースイッチと、Ｒｅｃスイッチと、ＲｅｃＰａｕｓｅスイッチと、選択スイッチと、決定スイッチと、十字スイッチと、入出力モード切り替えスイッチとを有する。入出力モード切り替えスイッチは、コネクタ１１１の現在のモードを入力モード及び出力モードのいずれかに切り替えるためのスイッチである。選択スイッチ、決定スイッチ及び十字スイッチは、メニュー画面、設定画面などを操作するためのスイッチである。撮像装置１００のメニュー画面などは、プログラムメモリ１１０が格納されている。なお、実施形態１では、ユーザインターフェース部１０９は、その全てをソフトウェアで構成してもよい。また、ユーザインターフェース部１０９は、タッチパネルで構成することも可能である。
【００２８】
コネクタ１１１は、入力コネクタとして機能することも、出力コネクタとして機能することも可能なコネクタである。コネクタ１１１は、例えば、ＢＮＣ（Ｂａｙｏｎｅｔ  Ｎｅｉｌｌ  Ｃｏｎｃｅｌｍａｎ）コネクタによって構成される。
【００２９】
コネクタ１１１の現在のモードが入力モードである間、コネクタ１１１は、タイムコード信号及びＧｅｎｌｏｃｋ信号のいずれも外部装置から入力することができる。言い換えれば、コネクタ１１１の現在のモードが入力モードである間、コネクタ１１１は、タイムコード入力コネクタとして機能することも、Ｇｅｎｌｏｃｋ入力コネクタとして機能することもできる。
【００３０】
コネクタ１１１の現在のモードが出力モードである間、コネクタ１１１は、制御部１０８で生成されたタイムコード信号を外部のタイムコード入力装置に出力することができる。言い換えれば、コネクタ１１１の現在のモードが出力モードである間、コネクタ１１１は、タイムコード出力コネクタとして機能することができる。
【００３１】
実施形態１〜３で用いられるタイムコード信号は、映像信号用のタイムコードを生成するための信号である。実施形態１〜３では、例えば、ＳＭＰＴＥ（Ｓｏｃｉｅｔｙ  ｏｆ  Ｍｏｔｉｏｎ  Ｐｉｃｔｕｒｅ  ａｎｄ  Ｔｅｌｅｖｉｓｉｏｎ  Ｅｎｇｉｎｅｅｒｓ）  １２Ｍに準拠したタイムコード信号が用いられる。実施形態１〜３で用いられるＧｅｎｌｏｃｋ信号は、撮像装置１００で生成される映像信号と、外部の同期信号生成装置で生成される映像信号とを同期させるための外部同期信号（或いは、外部基準信号）である。
【００３２】
コネクタ１１１の現在のモードが入力モードであり、かつ、外部装置からコネクタ１１１に入力された入力信号がタイムコード信号であるならば、入出力部１１２は、タイムコード信号からタイムコードを生成することができる。入出力部１１２で生成されたタイムコードは、制御部１０８に供給される。
【００３３】
コネクタ１１１の現在のモードが入力モードであり、かつ、外部装置からコネクタ１１１に入力された入力信号がＧｅｎｌｏｃｋ信号であるならば、入出力部１１２は、Ｇｅｎｌｏｃｋ信号から外部同期信号を生成することができる。入出力部１１２で生成された外部同期信号は、カメラ部１０１、Ａ／Ｄコンバータ１０２、映像処理部１０３、記録部１０４及び制御部１０８に供給される。
【００３４】
コネクタ１１１の現在のモードが出力モードであるならば、入出力部１１２は、制御部１０８で生成されたタイムコードからタイムコード信号を生成する。入出力部１１２で生成されたタイムコード信号は、コネクタ１１１から外部のタイムコード入力装置に出力される。
【００３５】
メモリ１１３は、不揮発性メモリを有し、撮像装置１００に関する様々な設定情報を格納する。撮像装置１００に関する様々な設定情報には、コネクタモード情報が含まれている。コネクタモード情報は、コネクタ１１１の現在のモードを示す情報である。初期状態において、コネクタ１１１の現在のモードは、例えば、入力モードに設定されているものとする。
【００３６】
図２は、実施形態１における入出力部１１２の構成要素を説明するための図である。
【００３７】
実施形態１における入出力部１１２は、図２に示すように、１０ｋΩ終端抵抗２０１と、コンデンサ２０２と、抵抗部２０３と、第１の振幅制限回路２０４とを有する。実施形態１における入出力部１１２はさらに、図２に示すように、７５Ω終端スイッチ２０５と、７５Ω終端抵抗２０６と、第２の振幅制限回路２０７と、ＴＣ（タイムコード）出力スイッチ２０８とを有する。実施形態１における入出力部１１２はさらに、図２に示すように、ＴＣ（タイムコード）信号入力部２０９、ＧＬ（Ｇｅｎｌｏｃｋ）信号入力部２１０及びＴＣ（タイムコード）信号出力部２１１を有する。
【００３８】
１０ｋΩ終端抵抗２０１は、タイムコード信号用の終端抵抗である。７５Ω終端抵抗２０６は、Ｇｅｎｌｏｃｋ信号用の終端抵抗であり、１０ｋΩ終端抵抗２０１よりも小さい。
【００３９】
７５Ω終端スイッチ２０５は、７５Ω終端抵抗２０６を有効及び無効のいずれかにするためのスイッチである。７５Ω終端スイッチ２０５がオン（ＯＮ）であるならば、７５Ω終端抵抗２０６は有効である。７５Ω終端スイッチ２０５がオフ（ＯＦＦ）であるならば、７５Ω終端抵抗２０６は無効である。
【００４０】
ＴＣ出力スイッチ２０８は、ＴＣ信号出力部２１１と、コネクタ１１１とを接続するためのスイッチである。コネクタ１１１の現在のモードが出力モードであるならば、ＴＣ出力スイッチ２０８は、制御部１０８によってオン（ＯＮ）にされる。コネクタ１１１の現在のモードが入力モードであるならば、ＴＣ出力スイッチ２０８は、制御部１０８によってオフ（ＯＦＦ）にされる。
【００４１】
コネクタ１１１の現在のモードが出力モードであるならば、ＴＣ信号出力部２１１は、制御部１０８で生成されたタイムコードからタイムコード信号を生成する。ＴＣ信号出力部２１１で生成されたタイムコード信号は、ＴＣ出力スイッチ２０８及びコネクタ１１１を介して外部のタイムコード入力装置に出力される。ＴＣ信号出力部２１１は、タイムコード信号生成手段として機能する。
【００４２】
コネクタ１１１の現在のモードが入力モードであり、かつ、ＴＣ出力スイッチ２０８及び７５Ω終端スイッチ２０５がオフである間に、外部装置からコネクタ１１１に入力された入力信号は、コンデンサ２０２に入力される。コンデンサ２０２は、コネクタ１１１に入力された入力信号をＡＣカップリングする。これにより、入力信号の交流成分のみが抵抗部２０３に供給される。抵抗部２０３は、入力信号の交流成分の電位を固定する。なお、第１の振幅制限回路２０４による振幅制限の影響は、抵抗部２０３よって分離される。そのため、第１の振幅制限回路２０４による振幅制限は、外部の同期信号生成装置からコネクタ１１１に入力されたＧｅｎｌｏｃｋ信号の振幅には影響を及ぼさない。
【００４３】
第１の振幅制限回路２０４は、ＴＣ信号入力部２０９を保護するために、第１の振幅以上の振幅を第１の振幅に制限する。これにより、入力信号が大きな振幅を有するタイムコード信号である場合であっても、第１の振幅制限回路２０４はＴＣ信号入力部２０９を適切に保護することができる。入力信号の交流成分は、第１の振幅制限回路２０４を介して、ＴＣ信号入力部２０９に入力される。ＴＣ信号入力部２０９は、第１の振幅制限回路２０４で処理された入力信号の電圧を所定時間チェックすることにより、コネクタ１１１に入力された入力信号のタイプを自動的に判定することができる。タイムコード信号及びＧｅｎｌｏｃｋ信号のいずれもコネクタ１１１に入力されていないことが検出された場合、ＧＬ信号入力部２１０は、その旨を制御部１０８に通知する。
【００４４】
コネクタ１１１の現在のモードが入力モードであり、かつ、外部装置からコネクタ１１１に入力された入力信号がタイムコード信号であるならば、ＴＣ信号入力部２０９は、タイムコード信号からタイムコードを生成することができる。ＴＣ信号入力部２０９で生成されたタイムコードは、制御部１０８に供給される。
【００４５】
コネクタ１１１の現在のモードが入力モードであり、かつ、外部装置からコネクタ１１１に入力された入力信号がＧｅｎｌｏｃｋ信号であるならば、７５Ω終端スイッチ２０５は、制御部１０８によってオン（ＯＮ）にされる。７５Ω終端スイッチ２０５がオンにされた場合、コネクタ１１１に入力されたＧｅｎｌｏｃｋ信号は、第２の振幅制限回路２０７に供給される。
【００４６】
第２の振幅制限回路２０７は、ＧＬ信号入力部２１０を保護するために、第２の振幅以上の振幅を第２の振幅に制限する。第２の振幅は、第１の振幅よりも大きく、Ｇｅｎｌｏｃｋ信号の波形を歪めることがないように設定される。コネクタ１１１に入力されたＧｅｎｌｏｃｋ信号は、第２の振幅制限回路２０７を介して、ＧＬ信号入力部２１０に入力される。
【００４７】
コネクタ１１１の現在のモードが入力モードであり、かつ、外部装置からコネクタ１１１に入力された入力信号がＧｅｎｌｏｃｋ信号であるならば、ＧＬ信号入力部２１０は、Ｇｅｎｌｏｃｋ信号から外部同期信号を生成することができる。ＧＬ信号入力部２１０で生成された外部同期信号は、カメラ部１０１、Ａ／Ｄコンバータ１０２、映像処理部１０３、記録部１０４及び制御部１０８に供給される。
【００４８】
図３は、実施形態１における撮像装置１００で行われる入出力制御処理の流れを説明するためのフローチャートである。この入出力制御処理は、撮像装置１００の電源がオン（ＯＮ）にされた場合に開始される。この入出力制御処理は、コネクタ１１１の現在のモードが入力モード及び出力モードのいずれかに更新された場合にも開始される。なお、この入出力制御処理は、制御部１０８によって制御される。制御部１０８で実行されるプログラムであって、この入出力制御処理を制御するためのプログラムは、プログラムメモリ１１０に格納されている。
【００４９】
ステップＳ３０１において、制御部１０８は、コネクタ１１１のコネクタモード情報をメモリ１１３から取得し、コネクタ１１１の現在のモードをチェックする。コネクタモード情報は、コネクタ１１１の現在のモードを示す情報である。コネクタ１１１の現在のモードが出力モードであるならば、制御部１０８は、ステップＳ３０２に進む。コネクタ１１１の現在のモードが入力モードであるならば、制御部１０８は、ステップＳ３０４に進む。
【００５０】
ステップＳ３０２において、制御部１０８は、ＴＣ出力スイッチ２０８をオン（ＯＮ）にし、７５Ω終端スイッチ２０５をオフ（ＯＦＦ）にする。これにより、コネクタ１１１は、タイムコード信号を出力できる状態となる。言い換えれば、コネクタ１１１は、タイムコード出力コネクタとして機能できる状態となる。ＴＣ出力スイッチ２０８がオンにされ、７５Ω終端スイッチ２０５がオフにされた後、制御部１０８は、ステップＳ３０２からステップＳ３０３に進む。
【００５１】
コネクタ１１１の現在のモードが出力モードである間に制御部１０８で生成されたタイムコードは、制御部１０８からＴＣ信号出力部２１１に供給される。ＴＣ信号出力部２１１は、制御部１０８で生成されたタイムコードからタイムコード信号を生成する。ＴＣ信号出力部２１１で生成されたタイムコード信号は、ＴＣ出力スイッチ２０８及びコネクタ１１１を介して外部のタイムコード入力装置に供給される。
【００５２】
ステップＳ３０３において、制御部１０８は、コネクタ１１１がタイムコード出力コネクタとして機能する状態に設定されていることをユーザに通知するために、情報Ａ１を表示部１０７に表示させる。これにより、ユーザは、コネクタ１１１がタイムコード出力コネクタとして機能する状態に設定されていることを知ることができる。情報Ａ１は、画像、音声、アイコン、メッセージの少なくとも一つからなる。情報Ａ１が表示部１０７に表示された後、本フローチャートは終了する。
【００５３】
ステップＳ３０４において、制御部１０８は、ＴＣ出力スイッチ２０８及び７５Ω終端スイッチ２０５をオフ（ＯＦＦ）にする。これにより、コネクタ１１１は、タイムコード信号及びＧｅｎｌｏｃｋ信号のいずれも外部装置から入力できる状態となる。言い換えれば、ＴＣ出力スイッチ２０８及び７５Ω終端スイッチ２０５がオフである間、コネクタ１１１は、タイムコード入力コネクタとして機能することも、Ｇｅｎｌｏｃｋ入力コネクタとして機能することもできる。ＴＣ出力スイッチ２０８及び７５Ω終端スイッチ２０５がオフにされた後、制御部１０８は、ステップＳ３０４からステップＳ３０５に進む。
【００５４】
ステップＳ３０５において、制御部１０８は、コネクタ１１１に入力信号が入力されているか否かを判定する。コネクタ１１１に入力信号が入力されているのであれば、制御部１０８は、ステップＳ３０６に進む（ステップＳ３０５でＹＥＳ）。コネクタ１１１に入力信号が入力されていないのであれば、制御部１０８は、ステップＳ３０１に戻る（ステップＳ３０５でＮＯ）。
【００５５】
ＴＣ出力スイッチ２０８及び７５Ω終端スイッチ２０５がオフである間に、コネクタ１１１に入力された入力信号は、コンデンサ２０２及び抵抗部２０３を介して第１の振幅制限回路２０４に入力される。そして、第１の振幅制限回路２０４で処理された入力信号は、ＴＣ信号入力部２０９に入力される。ＴＣ信号入力部２０９は、第１の振幅制限回路２０４で処理された入力信号の電圧を所定時間チェックすることにより、入力信号のタイプを判定する。入力信号のタイプを判定した後、ＴＣ信号入力部２０９は、入力信号タイプ情報を制御部１０８に供給する。入力信号タイプ情報は、コネクタ１１１に入力された入力信号がタイムコード信号及びＧｅｎｌｏｃｋ信号のいずれであるかを示す情報である。
【００５６】
ステップＳ３０６において、制御部１０８は、ＴＣ信号入力部２０９から供給される入力信号タイプ情報をチェックし、外部装置からコネクタ１１１に入力された入力信号のタイプを判定する。外部装置からコネクタ１１１に入力された入力信号がタイムコード信号であると判定されたならば、制御部１０８は、ステップＳ３０７に進む。外部装置からコネクタ１１１に入力された入力信号がＧｅｎｌｏｃｋ信号であると判定されたならば、制御部１０８は、ステップＳ３０８に進む。
【００５７】
外部装置からコネクタ１１１に入力された入力信号がタイムコード信号である場合、ＴＣ信号入力部２０９は、第１の振幅制限回路２０４から供給される信号からタイムコードを生成する。ＴＣ信号入力部２０９で生成されたタイムコードは、制御部１０８に供給される。制御部１０８は、ＴＣ信号入力部２０９で生成されたタイムコードを、撮像装置１００で生成された映像信号に付加するように制御する。これにより、外部装置で生成されたタイムコードが、撮像装置１００で生成された映像信号に付加されて記録媒体１０５に記録される。
【００５８】
ステップＳ３０７において、制御部１０８は、コネクタ１１１がタイムコード入力コネクタとして機能する状態に設定されていることをユーザに通知するために、情報Ａ２を表示部１０７に表示させる。これにより、ユーザは、コネクタ１１１がタイムコード入力コネクタとして機能する状態に設定されていることを知ることができる。情報Ａ２は、画像、音声、アイコン、メッセージの少なくとも一つからなる。なお、ステップＳ３０７において、ＴＣ出力スイッチ２０８及び７５Ω終端スイッチ２０５は、いずれもオフ（ＯＦＦ）である。情報Ａ２が表示部１０７に表示された後、本フローチャートは終了する。
【００５９】
ステップＳ３０８において、制御部１０８は、７５Ω終端スイッチ２０５をオン（ＯＮ）にする。これにより、コネクタ１１１に入力されたＧｅｎｌｏｃｋ信号をＧＬ信号入力部２１０に供給できる状態となる。言い換えれば、コネクタ１１１は、Ｇｅｎｌｏｃｋ入力コネクタとして機能できる状態となる。７５Ω終端スイッチ２０５がオンにされた後、制御部１０８は、ステップＳ３０８からステップＳ３０９に進む。
【００６０】
外部装置からコネクタ１１１に入力された入力信号がＧｅｎｌｏｃｋ信号である場合、ＧＬ信号入力部２１０は、第２の振幅制限回路２０７から供給される信号から外部同期信号を生成する。ＧＬ信号入力部２１０で生成された外部同期信号は、カメラ部１０１、Ａ／Ｄコンバータ１０２、映像処理部１０３、記録部１０４及び制御部１０８に供給される。制御部１０８は、ＧＬ信号入力部２１０で生成された外部同期信号に従って、カメラ部１０１、Ａ／Ｄコンバータ１０２、映像処理部１０３及び記録部１０４を制御する。これにより、撮像装置１００は、外部装置で生成された外部同期信号に同期した映像信号を生成することができ、その映像信号を記録媒体１０５に記録することもできる。
【００６１】
ステップＳ３０９において、制御部１０８は、コネクタ１１１がＧｅｎｌｏｃｋ入力コネクタとして機能する状態に設定されていることをユーザに通知するために、情報Ａ３を表示部１０７に表示させる。これにより、ユーザは、コネクタ１１１がＧｅｎｌｏｃｋ入力コネクタとして機能する状態に設定されていることを知ることができる。情報Ａ３は、画像、音声、アイコン、メッセージの少なくとも一つからなる。情報Ａ３が表示部１０７に表示された後、本フローチャートは終了する。
【００６２】
図４は、実施形態１〜３における撮像装置１００で行われるコネクタモード更新処理の流れを説明するためのフローチャートである。このコネクタモード更新処理は、撮像装置１００の電源がオン（ＯＮ）にされた場合に開始される。なお、このコネクタモード更新処理は、制御部１０８によって制御される。制御部１０８で実行されるプログラムであって、このコネクタモード更新処理を制御するためのプログラムは、プログラムメモリ１１０に格納されている。
【００６３】
ステップＳ４０１において、制御部１０８は、コネクタモード設定画面を表示させるための第１の指示が制御部１０８に入力されたか否かを判定する。ユーザは、ユーザインターフェース部１０９を操作することによって、第１の指示を制御部１０８に入力することができる。コネクタモード設定画面は、コネクタ１１１の現在のモードを出力モード及び入力モードのいずれかに更新するためのＧＵＩ（グラフィカルユーザインターフェース）画面である。ユーザは、ユーザインターフェース部１０９を用いて、コネクタモード設定画面を操作することができる。コネクタモード設定画面は、プログラムメモリ１１０が格納されている。
【００６４】
第１の指示が制御部１０８に入力されたならば、制御部１０８は、ステップＳ４０２に進む（ステップＳ４０１でＹＥＳ）。第１の指示が制御部１０８に入力されなかったならば、制御部１０８は、ステップＳ４０１に戻る（ステップＳ４０１でＮＯ）。
【００６５】
ステップＳ４０２において、制御部１０８は、コネクタモード設定画面を表示部１０７に表示させる。
【００６６】
ステップＳ４０３において、制御部１０８は、コネクタ１１１の現在のモードが入力モード及び出力モードのいずれかに更新されたか否かを判定する。ユーザは、コネクタモード設定画面を操作することにより、コネクタ１１１の現在のモードを入力モード及び出力モードのいずれかに更新するための第２の指示を制御部１０８に入力することができる。
【００６７】
コネクタ１１１の現在のモードが入力モード及び出力モードのいずれかに更新されたならば、制御部１０８は、ステップＳ４０４に進む（ステップＳ４０３でＹＥＳ）。コネクタ１１１の現在のモードが入力モード及び出力モードのいずれかに更新されなかったならば、制御部１０８は、ステップＳ４０１に戻る（ステップＳ４０３でＮＯ）。
【００６８】
ステップＳ４０４において、制御部１０８は、第２の指示に従って、メモリ１１３に格納されているコネクタモード情報を更新する。メモリ１１３に格納されているコネクタモード情報が更新された後、制御部１０８は、ステップＳ４０１に戻る。
【００６９】
このように、実施形態１における撮像装置１００は、一つのコネクタをタイムコード出力コネクタ、タイムコード入力コネクタ、Ｇｅｎｌｏｃｋ入力コネクタのいずれかとして機能させることができる。これにより、撮像装置１００のさらなる小型化及びコストダウンが可能になる。また、様々な用途に対応可能な撮像装置１００を提供することができる。
【００７０】
また、実施形態１における撮像装置１００は、入力信号のタイプを自動的に判定し、一つのコネクタをタイムコード入力コネクタ及びＧｅｎｌｏｃｋ入力コネクタのいずれかとして機能させることもできる。これにより、コネクタ１１１の使い勝手をよくすることができる。
【００７１】
なお、実施形態１における入出力部１１２は、図２に示す構成に限るものではない。例えば、入出力部１１２は、コンデンサ２０２、抵抗部２０３、第１の振幅制限回路２０４及び第２の振幅制限回路２０７を有さないように構成することも可能である。また、実施形態１におけるコネクタ１１１は、入力コネクタとしてのみ機能するコネクタとしてもよい。
【００７２】
［実施形態２］
次に、図１、図２、図５及び図６を参照し、本発明の実施形態２を説明する。実施形態２では、実施形態２における入出力部１１２の構成が実施形態１における入出力部１１２の構成と異なる場合を説明する。実施形態２において、実施形態１と同様の部分についてはその説明を省略する。
【００７３】
実施形態２における撮像装置１００の構成要素は図１に示すとおりであるので、その説明を省略する。
【００７４】
図５は、実施形態２における入出力部１１２の構成要素を説明するための図である。図６において、図２と同じ構成要素については図２と同じ番号を付し、その説明を省略する。
【００７５】
実施形態２における入出力部１１２は、図５に示すように、１０ｋΩ終端抵抗２０１と、コンデンサ２０２と、抵抗部２０３と、第１の振幅制限回路２０４とを有する。実施形態２における入出力部１１２はさらに、図５に示すように、７５Ω終端スイッチ２０５と、７５Ω終端抵抗２０６と、第２の振幅制限回路２０７と、ＴＣ出力スイッチ２０８とを有する。実施形態２における入出力部１１２はさらに、図５に示すように、ＴＣ信号入力部２０９と、ＧＬ信号入力部２１０と、ＴＣ信号出力部２１１と、ＡＴＴスイッチ５０１と、アッテネータ部５０２とを有する。
【００７６】
ＡＴＴスイッチ５０１は、減衰側及び通過側のいずれかを選択するスイッチである。ＡＴＴスイッチ５０１が減衰側を選択した場合、第２の振幅制限回路２０７とアッテネータ部５０２とが接続される。ＡＴＴスイッチ５０１が通過側を選択した場合、第２の振幅制限回路２０７とＧＬ信号入力部２１０とが接続される。
【００７７】
アッテネータ部５０２は、Ｇｅｎｌｏｃｋ信号の振幅を所定レベル以下に減衰させるためのアッテネータを有する。Ｇｅｎｌｏｃｋ信号の振幅は、アッテネータ部５０２で適切に調整される。
【００７８】
図６は、実施形態２における撮像装置１００で行われる入出力制御処理の流れを説明するためのフローチャートである。この入出力制御処理は、撮像装置１００の電源がオン（ＯＮ）にされた場合に開始される。この入出力制御処理は、コネクタ１１１の現在のモードが入力モード及び出力モードのいずれかに更新された場合にも開始される。なお、この入出力制御処理は、制御部１０８によって制御される。制御部１０８で実行されるプログラムであって、この入出力制御処理を制御するためのプログラムは、プログラムメモリ１１０に格納されている。
【００７９】
ステップＳ６０１において、制御部１０８は、コネクタ１１１のコネクタモード情報をメモリ１１３から取得し、コネクタ１１１の現在のモードをチェックする。コネクタモード情報は、コネクタ１１１の現在のモードを示す情報である。コネクタ１１１の現在のモードが出力モードであるならば、制御部１０８は、ステップＳ６０２に進む。コネクタ１１１の現在のモードが入力モードであるならば、制御部１０８は、ステップＳ６０４に進む。
【００８０】
ステップＳ６０２において、制御部１０８は、ＴＣ出力スイッチ２０８をオン（ＯＮ）にし、７５Ω終端スイッチ２０５をオフ（ＯＦＦ）にする。これにより、コネクタ１１１は、タイムコード信号を出力できる状態となる。言い換えれば、コネクタ１１１は、タイムコード出力コネクタとして機能できる状態となる。ＴＣ出力スイッチ２０８がオンにされ、７５Ω終端スイッチ２０５がオフにされた後、制御部１０８は、ステップＳ６０２からステップＳ６０３に進む。
【００８１】
コネクタ１１１の現在のモードが出力モードである間に制御部１０８で生成されたタイムコードは、制御部１０８からＴＣ信号出力部２１１に供給される。ＴＣ信号出力部２１１は、制御部１０８で生成されたタイムコードからタイムコード信号を生成する。ＴＣ信号出力部２１１で生成されたタイムコード信号は、ＴＣ出力スイッチ２０８及びコネクタ１１１を介して外部のタイムコード入力装置に供給される。
【００８２】
ステップＳ６０３において、制御部１０８は、コネクタ１１１がタイムコード出力コネクタとして機能する状態に設定されていることをユーザに通知するために、情報Ａ１を表示部１０７に表示させる。これにより、ユーザは、コネクタ１１１がタイムコード出力コネクタとして機能する状態に設定されていることを知ることができる。情報Ａ１は、画像、音声、アイコン、メッセージの少なくとも一つからなる。情報Ａ１が表示部１０７に表示された後、本フローチャートは終了する。
【００８３】
ステップＳ６０４において、制御部１０８は、ＴＣ出力スイッチ２０８及び７５Ω終端スイッチ２０５をオフ（ＯＦＦ）にし、ＡＴＴスイッチ５０１に減衰側を選択させる。これにより、コネクタ１１１は、タイムコード信号及びＧｅｎｌｏｃｋ信号のいずれも外部装置から入力できる状態となる。言い換えれば、ＴＣ出力スイッチ２０８及び７５Ω終端スイッチ２０５がオフである間、コネクタ１１１は、タイムコード入力コネクタとして機能することも、Ｇｅｎｌｏｃｋ入力コネクタとして機能することもできる。ＴＣ出力スイッチ２０８及び７５Ω終端スイッチ２０５がオフにされ、ＡＴＴスイッチ５０１に減衰側を選択させた後、制御部１０８は、ステップＳ６０４からステップＳ６０５に進む。
【００８４】
ステップＳ６０５において、制御部１０８は、コネクタ１１１に入力信号が入力されているか否かを判定する。コネクタ１１１に入力信号が入力されているのであれば、制御部１０８は、ステップＳ６０６に進む（ステップＳ６０５でＹＥＳ）。コネクタ１１１に入力信号が入力されていないのであれば、制御部１０８は、ステップＳ６０１に戻る（ステップＳ６０５でＮＯ）。
【００８５】
ＴＣ出力スイッチ２０８及び７５Ω終端スイッチ２０５がオフである間に、コネクタ１１１に入力された入力信号は、コンデンサ２０２及び抵抗部２０３を介して第１の振幅制限回路２０４に入力される。そして、第１の振幅制限回路２０４で処理された入力信号は、ＴＣ信号入力部２０９に入力される。ＴＣ信号入力部２０９は、第１の振幅制限回路２０４で処理された入力信号の電圧を所定時間チェックすることにより、入力信号のタイプを判定する。入力信号のタイプを判定した後、ＴＣ信号入力部２０９は、入力信号タイプ情報を制御部１０８に供給する。入力信号タイプ情報は、コネクタ１１１に入力された入力信号がタイムコード信号及びＧｅｎｌｏｃｋ信号のいずれであるかを示す情報である。
【００８６】
ステップＳ６０６において、制御部１０８は、ＴＣ信号入力部２０９から供給される入力信号タイプ情報をチェックし、外部装置からコネクタ１１１に入力された入力信号のタイプを判定する。外部装置からコネクタ１１１に入力された入力信号がタイムコード信号であると判定されたならば、制御部１０８は、ステップＳ６０７に進む。外部装置からコネクタ１１１に入力された入力信号がＧｅｎｌｏｃｋ信号であると判定されたならば、制御部１０８は、ステップＳ６０８に進む。
【００８７】
外部装置からコネクタ１１１に入力された入力信号がタイムコード信号である場合、ＴＣ信号入力部２０９は、第１の振幅制限回路２０４から供給される信号からタイムコードを生成する。ＴＣ信号入力部２０９で生成されたタイムコードは、制御部１０８に供給される。制御部１０８は、ＴＣ信号入力部２０９で生成されたタイムコードを、撮像装置１００で生成された映像信号に付加するように制御する。これにより、外部装置で生成されたタイムコードが、撮像装置１００で生成された映像信号に付加されて記録媒体１０５に記録される。
【００８８】
ステップＳ６０７において、制御部１０８は、コネクタ１１１がタイムコード入力コネクタとして機能する状態に設定されていることをユーザに通知するために、情報Ａ２を表示部１０７に表示させる。これにより、ユーザは、コネクタ１１１がタイムコード入力コネクタとして機能する状態に設定されていることを知ることができる。情報Ａ２は、画像、音声、アイコン、メッセージの少なくとも一つからなる。なお、ステップＳ６０７において、ＴＣ出力スイッチ２０８及び７５Ω終端スイッチ２０５は、いずれもオフ（ＯＦＦ）である。情報Ａ２が表示部１０７に表示された後、本フローチャートは終了する。
【００８９】
ステップＳ６０８において、制御部１０８は、７５Ω終端スイッチ２０５をオン（ＯＮ）にし、ＡＴＴスイッチ５０１に通過側を選択させる。これにより、コネクタ１１１に入力されたＧｅｎｌｏｃｋ信号をＧＬ信号入力部２１０に供給できる状態となる。言い換えれば、コネクタ１１１は、Ｇｅｎｌｏｃｋ入力コネクタとして機能できる状態となる。７５Ω終端スイッチ２０５がオンにされ、ＡＴＴスイッチ５０１に通過側を選択させた後、制御部１０８は、ステップＳ６０８からステップＳ６０９に進む。
【００９０】
外部装置からコネクタ１１１に入力された入力信号がＧｅｎｌｏｃｋ信号である場合、ＧＬ信号入力部２１０は、第２の振幅制限回路２０７から供給される信号から外部同期信号を生成する。ＧＬ信号入力部２１０で生成された外部同期信号は、カメラ部１０１、Ａ／Ｄコンバータ１０２、映像処理部１０３、記録部１０４及び制御部１０８に供給される。制御部１０８は、ＧＬ信号入力部２１０で生成された外部同期信号に従って、カメラ部１０１、Ａ／Ｄコンバータ１０２、映像処理部１０３及び記録部１０４を制御する。これにより、撮像装置１００は、外部装置で生成された外部同期信号に同期した映像信号を生成することができ、その映像信号を記録媒体１０５に記録することもできる。
【００９１】
ステップＳ６０９において、制御部１０８は、コネクタ１１１がＧｅｎｌｏｃｋ入力コネクタとして機能する状態に設定されていることをユーザに通知するために、情報Ａ３を表示部１０７に表示させる。これにより、ユーザは、コネクタ１１１がＧｅｎｌｏｃｋ入力コネクタとして機能する状態に設定されていることを知ることができる。情報Ａ３は、画像、音声、アイコン、メッセージの少なくとも一つからなる。情報Ａ３が表示部１０７に表示された後、本フローチャートは終了する。
【００９２】
このように、実施形態２における撮像装置１００は、一つのコネクタをタイムコード出力コネクタ、タイムコード入力コネクタ、Ｇｅｎｌｏｃｋ入力コネクタのいずれかとして機能させることができる。これにより、撮像装置１００のさらなる小型化及びコストダウンが可能になる。また、様々な用途に対応可能な撮像装置１００を提供することができる。
【００９３】
また、実施形態２における撮像装置１００は、入力信号のタイプを自動的に判定し、一つのコネクタをタイムコード入力コネクタ及びＧｅｎｌｏｃｋ入力コネクタのいずれかとして機能させることもできる。これにより、コネクタ１１１の使い勝手をよくすることができる。
【００９４】
なお、実施形態２における入出力部１１２は、図５に示す構成に限るものではない。例えば、入出力部１１２は、コンデンサ２０２、第２の振幅制限回路２０７、抵抗部２０３及び第１の振幅制限回路２０４を有さないように構成することも可能である。また、実施形態２におけるコネクタ１１１は、入力コネクタとしてのみ機能するコネクタとしてもよい。
【００９５】
［実施形態３］
次に、図１、図２、図５、図７及び図８を参照し、本発明の実施形態３を説明する。実施形態３では、実施形態３における入出力部１１２の構成が実施形態１及び２における入出力部１１２の構成と異なる場合を説明する。実施形態３において、実施形態１及び２と同様の部分についてはその説明を省略する。
【００９６】
実施形態３に係る撮像装置１００の構成要素は図１に示すとおりであるので、その説明を省略する。
【００９７】
図７は、実施形態３における入出力部１１２の構成要素を説明するための図である。図７において、図２及び図５と同じ構成要素については図２及び図５と同じ番号を付し、その説明を省略する。
【００９８】
実施形態３における入出力部１１２は、図７に示すように、１０ｋΩ終端抵抗２０１と、コンデンサ２０２と、抵抗部２０３と、第１の振幅制限回路２０４とを有する。実施形態３における入出力部１１２はさらに、図７に示すように、７５Ω終端スイッチ２０５と、７５Ω終端抵抗２０６と、第２の振幅制限回路２０７と、ＴＣ出力スイッチ２０８とを有する。実施形態３における入出力部１１２はさらに、図７に示すように、ＴＣ信号入力部２０９と、ＧＬ信号入力部２１０と、ＴＣ信号出力部２１１と、ＡＴＴスイッチ５０１と、アッテネータ部５０２と、１０ｋΩ終端スイッチ７０１とを有する。
【００９９】
１０ｋΩ終端スイッチ７０１は、１０ｋΩ終端抵抗２０１を有効及び無効のいずれかにするためのスイッチである。１０ｋΩ終端スイッチ７０１がオン（ＯＮ）であるならば、１０ｋΩ終端抵抗２０１は有効である。１０ｋΩ終端スイッチ７０１がオフ（ＯＦＦ）であるならば、１０ｋΩ終端抵抗２０１は無効である。
【０１００】
図８は、実施形態３における撮像装置１００で行われる入出力制御処理の流れを説明するためのフローチャートである。この入出力制御処理は、撮像装置１００の電源がオン（ＯＮ）にされた場合に開始される。この入出力制御処理は、コネクタ１１１の現在のモードが入力モード及び出力モードのいずれかに更新された場合にも開始される。なお、この入出力制御処理は、制御部１０８によって制御される。制御部１０８で実行されるプログラムであって、この入出力制御処理を制御するためのプログラムは、プログラムメモリ１１０に格納されている。
【０１０１】
ステップＳ８０１において、制御部１０８は、コネクタ１１１のコネクタモード情報をメモリ１１３から取得し、コネクタ１１１の現在のモードをチェックする。コネクタモード情報は、コネクタ１１１の現在のモードを示す情報である。コネクタ１１１の現在のモードが出力モードであるならば、制御部１０８は、ステップＳ８０２に進む。コネクタ１１１の現在のモードが入力モードであるならば、制御部１０８は、ステップＳ８０４に進む。
【０１０２】
ステップＳ８０２において、制御部１０８は、ＴＣ出力スイッチ２０８をオン（ＯＮ）にし、７５Ω終端スイッチ２０５及び１０ｋΩ終端スイッチ７０１をオフ（ＯＦＦ）にする。これにより、コネクタ１１１は、タイムコード信号を出力できる状態となる。言い換えれば、コネクタ１１１は、タイムコード出力コネクタとして機能できる状態となる。ＴＣ出力スイッチ２０８がオンにされ、７５Ω終端スイッチ２０５及び１０ｋΩ終端スイッチ７０１がオフにされた後、制御部１０８は、ステップＳ８０２からステップＳ８０３に進む。
【０１０３】
コネクタ１１１の現在のモードが出力モードである間に制御部１０８で生成されたタイムコードは、制御部１０８からＴＣ信号出力部２１１に供給される。ＴＣ信号出力部２１１は、制御部１０８で生成されたタイムコードからタイムコード信号を生成する。ＴＣ信号出力部２１１で生成されたタイムコード信号は、ＴＣ出力スイッチ２０８及びコネクタ１１１を介して外部のタイムコード入力装置に供給される。
【０１０４】
ステップＳ８０３において、制御部１０８は、コネクタ１１１がタイムコード出力コネクタとして機能する状態に設定されていることをユーザに通知するために、情報Ａ１を表示部１０７に表示させる。これにより、ユーザは、コネクタ１１１がタイムコード出力コネクタとして機能する状態に設定されていることを知ることができる。情報Ａ１は、画像、音声、アイコン、メッセージの少なくとも一つからなる。情報Ａ１が表示部１０７に表示された後、本フローチャートは終了する。
【０１０５】
ステップＳ８０４において、制御部１０８は、ＴＣ出力スイッチ２０８及び７５Ω終端スイッチ２０５をオフ（ＯＦＦ）にし、１０ｋΩ終端スイッチ７０１をオン（ＯＮ）にし、ＡＴＴスイッチ５０１に減衰側を選択させる。これにより、コネクタ１１１は、タイムコード信号及びＧｅｎｌｏｃｋ信号のいずれも外部装置から入力できる状態となる。言い換えれば、ＴＣ出力スイッチ２０８及び７５Ω終端スイッチ２０５がオフである間、コネクタ１１１は、タイムコード入力コネクタとして機能することも、Ｇｅｎｌｏｃｋ入力コネクタとして機能することもできる。ＴＣ出力スイッチ２０８及び７５Ω終端スイッチ２０５がオフにされ、１０ｋΩ終端スイッチ７０１がオンにされ、ＡＴＴスイッチ５０１に減衰側を選択させた後、制御部１０８は、ステップＳ８０４からステップＳ８０５に進む。
【０１０６】
ステップＳ８０５において、制御部１０８は、コネクタ１１１に入力信号が入力されているか否かを判定する。コネクタ１１１に入力信号が入力されているのであれば、制御部１０８は、ステップＳ８０６に進む（ステップＳ８０５でＹＥＳ）。コネクタ１１１に入力信号が入力されていないのであれば、制御部１０８は、ステップＳ８０１に戻る（ステップＳ８０５でＮＯ）。
【０１０７】
ＴＣ出力スイッチ２０８及び７５Ω終端スイッチ２０５がオフである間に、コネクタ１１１に入力された入力信号は、コンデンサ２０２及び抵抗部２０３を介して第１の振幅制限回路２０４に入力される。そして、第１の振幅制限回路２０４で処理された入力信号は、ＴＣ信号入力部２０９に入力される。ＴＣ信号入力部２０９は、第１の振幅制限回路２０４で処理された入力信号の電圧を所定時間チェックすることにより、入力信号のタイプを判定する。入力信号のタイプを判定した後、ＴＣ信号入力部２０９は、入力信号タイプ情報を制御部１０８に供給する。入力信号タイプ情報は、コネクタ１１１に入力された入力信号がタイムコード信号及びＧｅｎｌｏｃｋ信号のいずれであるかを示す情報である。
【０１０８】
ステップＳ８０６において、制御部１０８は、ＴＣ信号入力部２０９から供給される入力信号タイプ情報をチェックし、外部装置からコネクタ１１１に入力された入力信号のタイプを判定する。外部装置からコネクタ１１１に入力された入力信号がタイムコード信号であると判定されたならば、制御部１０８は、ステップＳ８０７に進む。外部装置からコネクタ１１１に入力された入力信号がＧｅｎｌｏｃｋ信号であると判定されたならば、制御部１０８は、ステップＳ８０８に進む。
【０１０９】
外部装置からコネクタ１１１に入力された入力信号がタイムコード信号である場合、ＴＣ信号入力部２０９は、第１の振幅制限回路２０４から供給される信号からタイムコードを生成する。ＴＣ信号入力部２０９で生成されたタイムコードは、制御部１０８に供給される。制御部１０８は、ＴＣ信号入力部２０９で生成されたタイムコードを、撮像装置１００で生成された映像信号に付加するように制御する。これにより、外部装置で生成されたタイムコードが、撮像装置１００で生成された映像信号に付加されて記録媒体１０５に記録される。
【０１１０】
ステップＳ８０７において、制御部１０８は、コネクタ１１１がタイムコード入力コネクタとして機能する状態に設定されていることをユーザに通知するために、情報Ａ２を表示部１０７に表示させる。これにより、ユーザは、コネクタ１１１がタイムコード入力コネクタとして機能する状態に設定されていることを知ることができる。情報Ａ２は、画像、音声、アイコン、メッセージの少なくとも一つからなる。なお、ステップＳ８０７において、ＴＣ出力スイッチ２０８及び７５Ω終端スイッチ２０５は、いずれもオフ（ＯＦＦ）である。情報Ａ２が表示部１０７に表示された後、本フローチャートは終了する。
【０１１１】
ステップＳ８０８において、制御部１０８は、７５Ω終端スイッチ２０５をオン（ＯＮ）にし、１０ｋΩ終端スイッチ７０１をオフ（ＯＦＦ）にし、ＡＴＴスイッチ５０１に通過側を選択させる。これにより、コネクタ１１１に入力されたＧｅｎｌｏｃｋ信号をＧＬ信号入力部２１０に供給できる状態となる。言い換えれば、コネクタ１１１は、Ｇｅｎｌｏｃｋ入力コネクタとして機能できる状態となる。７５Ω終端スイッチ２０５がオンにされ、１０ｋΩ終端スイッチ７０１がオフにされ、ＡＴＴスイッチ５０１に通過側を選択させた後、制御部１０８は、ステップＳ８０８からステップＳ８０９に進む。
【０１１２】
外部装置からコネクタ１１１に入力された入力信号がＧｅｎｌｏｃｋ信号である場合、ＧＬ信号入力部２１０は、第２の振幅制限回路２０７から供給される信号から外部同期信号を生成する。ＧＬ信号入力部２１０で生成された外部同期信号は、カメラ部１０１、Ａ／Ｄコンバータ１０２、映像処理部１０３、記録部１０４及び制御部１０８に供給される。制御部１０８は、ＧＬ信号入力部２１０で生成された外部同期信号に従って、カメラ部１０１、Ａ／Ｄコンバータ１０２、映像処理部１０３及び記録部１０４を制御する。これにより、撮像装置１００は、外部装置で生成された外部同期信号に同期した映像信号を生成することができ、その映像信号を記録媒体１０５に記録することもできる。
【０１１３】
ステップＳ８０９において、制御部１０８は、コネクタ１１１がＧｅｎｌｏｃｋ入力コネクタとして機能する状態に設定されていることをユーザに通知するために、情報Ａ３を表示部１０７に表示させる。これにより、ユーザは、コネクタ１１１がＧｅｎｌｏｃｋ入力コネクタとして機能する状態に設定されていることを知ることができる。情報Ａ３は、画像、音声、アイコン、メッセージの少なくとも一つからなる。情報Ａ３が表示部１０７に表示された後、本フローチャートは終了する。
【０１１４】
このように、実施形態３における撮像装置１００は、一つのコネクタをタイムコード出力コネクタ、タイムコード入力コネクタ、Ｇｅｎｌｏｃｋ入力コネクタのいずれかとして機能させることができる。これにより、撮像装置１００のさらなる小型化及びコストダウンが可能になる。また、様々な用途に対応可能な撮像装置１００を提供することができる。
【０１１５】
また、実施形態３における撮像装置１００は、入力信号のタイプを自動的に判定し、一つのコネクタをタイムコード入力コネクタ及びＧｅｎｌｏｃｋ入力コネクタのいずれかとして機能させることもできる。これにより、コネクタ１１１の使い勝手をよくすることができる。
【０１１６】
また、実施形態３における撮像装置１００は、入力信号のタイプに応じて１０ｋΩ終端抵抗２０１及び７５Ω終端抵抗２０６のいずれか一方を有効にすることができる。これにより、入力信号の波形の歪みを少なくすることができる。また、実施形態３における撮像装置１００は、終端抵抗の大きい順に有効にすることができる。これにより、入出力部１１２を適切に保護することもできる。
【０１１７】
なお、実施形態３における入出力部１１２は、図７に示す構成に限るものではない。例えば、入出力部１１２は、コンデンサ２０２、第２の振幅制限回路２０７、抵抗部２０３及び第１の振幅制限回路２０４を有さないように構成することも可能である。また、実施形態３におけるコネクタ１１１は、入力コネクタとしてのみ機能するコネクタとしてもよい。
【０１１８】
［実施形態４］
実施形態１〜３で説明した様々な機能及び処理は、パーソナルコンピュータ、マイクロコンピュータ、ＣＰＵ（Ｃｅｎｔｒａｌ  Ｐｒｏｃｅｓｓｉｎｇ  Ｕｎｉｔ）などがプログラムを用いて実現することもできる。以下、実施形態４では、パーソナルコンピュータ、マイクロコンピュータ、ＣＰＵなどを「コンピュータ」と呼ぶ。また、実施形態４では、コンピュータを制御するためのプログラムであって、実施形態１〜３で説明した様々な機能及び処理を実現するためのプログラムを「所定のプログラム」と呼ぶ。
【０１１９】
実施形態１〜３で説明した様々な機能及び処理は、コンピュータが所定のプログラムを実行することによって実現される。この場合において、所定のプログラムは、コンピュータ読み取り可能な記録媒体を介してコンピュータに供給される。実施形態４におけるコンピュータ読み取り可能な記録媒体は、ハードディスク装置、光ディスク、ＣＤ−ＲＯＭ、ＣＤ−Ｒ、メモリカード、ＲＯＭ、ＲＡＭなどを含む。また、実施形態４におけるコンピュータ読み取り可能な記録媒体は、ｎｏｎ−ｔｒａｎｓｉｔｏｒｙ（非一時的）な記録媒体である。
【符号の説明】
【０１２０】
１００  撮像装置
【図１】
0005627345.tif 000002
【図２】
0005627345.tif 000003
【図３】
0005627345.tif 000004
【図４】
0005627345.tif 000005
【図５】
0005627345.tif 000006
【図６】
0005627345.tif 000007
【図７】
0005627345.tif 000008
【図８】
0005627345.tif 000009